(57)【要約】【課題】低コストで興趣を高めることができる感音玩具を提供する。【解決手段】略円板状の花托部４ａの側周面に放射状に複数の花弁部４ｂが設けられた花部４を有する植物模型２と、花弁発光体４１２からの光Ｌが導光板４３１の側面から入射して花弁部４ｂの表面側から出射するよう花弁付け根部分４ｃに設けられる花弁発光体４１２、及び花弁部４ｂに設けられる導光板４３１と、音センサ３１が感知した音に基づいて、所定の発光パターンで発光するよう花弁発光体４１２を制御する中央制御基板３３とを備える。【選択図】図３
2009268766.tif 000002
【特許請求の範囲】
【請求項１】
略円板状のセンター部の側周面に放射状に複数の花弁が設けられた花を有する植物型の植物模型と、
外部からの音を感知する音感知手段と、
前記音感知手段が感知した音に基づいて所定の制御を行う制御手段と、
前記植物模型に設けられ、発光体及び導光板を有して前記制御手段の制御により所定の発光を行う発光手段と、
を備える感音玩具であって、
前記発光手段は、前記発光体からの光が前記導光板の側面から入射して前記花弁の表面側から出射するよう、前記発光体が前記花弁の付け根部分に設けられ、前記導光板が前記花弁に設けられて構成され、
前記制御手段は、前記音感知手段が感知した音に基づいて、所定の発光パターンで発光するよう前記発光手段を制御することを特徴とする感音玩具。
【請求項２】
前記発光手段は、前記発光体が前記センター部に設けられて当該センター部の表面側が発光するよう構成されることを特徴とする請求項１に記載の感音玩具。
【請求項３】
前記植物模型は、少なくとも１つの葉を有し、
前記発光手段は、前記発光体からの光が前記導光板の側面から入射して前記葉の表面側から出射するよう、前記発光体が前記葉の付け根部分に設けられ、前記導光板が前記葉に設けられて構成されることを特徴とする請求項１又は２に記載の感音玩具。
【請求項４】
前記植物模型に所定の動作を行わせる動作手段と、
前記音感知手段が感知した音に基づいて、前記植物模型を揺動させるよう前記動作手段を制御する制御手段と、を備えることを特徴とする請求項１〜３のいずれか一項に記載の感音玩具。
【請求項５】
前記花弁に設けられた前記導光板は、前記花弁の裏面側の面に、前記花弁の付け根側から先端側に向かうにつれて互いの間隔が徐々に狭くなるよう形成され、前記発光体からの入射光を散乱させる多数の反射ドットを有することを特徴とする請求項１〜４のいずれか一項に記載の感音玩具。
【請求項６】
前記発光手段を制御する制御手段は、前記音感知手段が感知した音の音量に応じて、前記所定の発光パターンが変化するよう前記発光手段を制御することを特徴とする請求項１〜５のいずれか一項に記載の感音玩具。
【請求項７】
前記発光体は、互いに発光色の異なる３つの発光ダイオードを含んで構成されることを特徴とする請求項１〜６のいずれか一項に記載の感音玩具。
【請求項８】
前記所定の発光パターンは、少なくとも１つの前記発光手段毎に、発光色，発光順序，及び発光数のうちの少なくとも１つを変化させるものであることを特徴とする請求項１〜７のいずれか一項に記載の感音玩具。
【発明の詳細な説明】
【技術分野】
【０００１】
本発明は、感音玩具に関する。
【背景技術】
【０００２】
従来、外部の音を感知し、この音に応じて所定の動作を行う感音玩具が知られている。このような玩具として、例えば、音センサ（音感知手段）で感知した外部音が可聴帯域以上の場合に、植物を模した人形が踊り出すというフラワーロック（商品名）がよく知られている（例えば、特許文献１参照）。
【特許文献１】特開平３−１４６０８４号公報
【発明の開示】
【発明が解決しようとする課題】
【０００３】
ところで、上記のような感音玩具において、外部音に反応して動作させるのでなく、例えば玩具本体に設けた発光体を外部音に反応して所定のパターンで発光させ、遊びのバリエーションを増やして興趣を高めたいというニーズがある。
【０００４】
しかしながら、この発光を印象深いものにするには発光量を増やさねばならず、そのために多くの発光体やこれらを接続する配線等が必要となり、製造コストが嵩んでしまうという問題があった。
【０００５】
本発明は、上記事情を鑑みてなされたもので、低コストで興趣を高めることができる感音玩具の提供を課題とする。
【課題を解決するための手段】
【０００６】
前記の課題を解決するために、請求項１に記載の発明は、
略円板状のセンター部の側周面に放射状に複数の花弁が設けられた花を有する植物型の植物模型と、
外部からの音を感知する音感知手段と、
前記音感知手段が感知した音に基づいて所定の制御を行う制御手段と、
前記植物模型に設けられ、発光体及び導光板を有して前記制御手段の制御により所定の発光を行う発光手段と、
を備える感音玩具であって、
前記発光手段は、前記発光体からの光が前記導光板の側面から入射して前記花弁の表面側から出射するよう、前記発光体が前記花弁の付け根部分に設けられ、前記導光板が前記花弁に設けられて構成され、
前記制御手段は、前記音感知手段が感知した音に基づいて、所定の発光パターンで発光するよう前記発光手段を制御することを特徴とする。
【０００７】
請求項２に記載の発明は、請求項１に記載の感音玩具であって、
前記発光手段は、前記発光体が前記センター部に設けられて当該センター部の表面側が発光するよう構成されることを特徴とする。
【０００８】
請求項３に記載の発明は、請求項１又は２に記載の感音玩具であって、
前記植物模型は、少なくとも１つの葉を有し、
前記発光手段は、前記発光体からの光が前記導光板の側面から入射して前記葉の表面側から出射するよう、前記発光体が前記葉の付け根部分に設けられ、前記導光板が前記葉に設けられて構成されることを特徴とする。
【０００９】
請求項４に記載の発明は、請求項１〜３のいずれか一項に記載の感音玩具であって、
前記植物模型に所定の動作を行わせる動作手段と、
前記音感知手段が感知した音に基づいて、前記植物模型を揺動させるよう前記動作手段を制御する制御手段と、を備えることを特徴とする。
【００１０】
請求項５に記載の発明は、請求項１〜４のいずれか一項に記載の感音玩具であって、
前記花弁に設けられた前記導光板は、前記花弁の裏面側の面に、前記花弁の付け根側から先端側に向かうにつれて互いの間隔が徐々に狭くなるよう形成され、前記発光体からの入射光を散乱させる多数の反射ドットを有することを特徴とする。
【００１１】
請求項６に記載の発明は、請求項１〜５のいずれか一項に記載の感音玩具であって、
前記発光手段を制御する制御手段は、前記音感知手段が感知した音の音量に応じて、前記所定の発光パターンが変化するよう前記発光手段を制御することを特徴とする。
【００１２】
請求項７に記載の発明は、請求項１〜６のいずれか一項に記載の感音玩具であって、
前記発光体は、互いに発光色の異なる３つの発光ダイオードを含んで構成されることを特徴とする。
【００１３】
請求項８に記載の発明は、請求項１〜７のいずれか一項に記載の感音玩具であって、
前記所定の発光パターンは、少なくとも１つの前記発光手段毎に、発光色，発光順序，及び発光数のうちの少なくとも１つを変化させるものであることを特徴とする。
【発明の効果】
【００１４】
請求項１に記載の発明によれば、発光手段は、発光体からの光が導光板の側面から入射して花弁の表面側から出射するよう、発光体が花弁の付け根部分に設けられ、導光板が花弁に設けられて構成され、制御手段は、音感知手段が感知した音に基づいて、所定の発光パターンで発光するよう発光手段を制御するので、例えば花弁全体に発光体を設ける必要もなく、導光板を用いることで付け根部分に設けた発光体だけで花弁全体を発光できるとともに、外部の音に反応して所定の発光パターンで発光できる。したがって、低コストに構成できるとともに、遊戯者は印象深い発光を楽しんで興趣を高めることができる。
【００１５】
請求項２に記載の発明によれば、発光手段はセンター部の表面側が発光するよう構成されるので、より興趣を高めることができる。
【００１６】
請求項３に記載の発明によれば、発光手段は、発光体からの光が導光板の側面から入射して葉の表面側から出射するよう、発光体が葉の付け根部分に設けられ、導光板が葉に設けられて構成されるので、葉も花弁と同様に低コストな構成で発光できる。したがって、一層興趣を高めることができる。
【００１７】
請求項４に記載の発明によれば、植物模型に所定の動作を行わせる動作手段と、音感知手段が感知した音に基づいて植物模型を揺動させるよう動作手段を制御する制御手段とを備えるので、当該感音玩具は外部の音に反応して上記の発光動作に加え揺動動作をも行う。したがって、一層興趣を高めることができる。
【００１８】
請求項５に記載の発明によれば、花弁に設けられた導光板は、花弁の裏面側の面に、花弁の付け根側から先端側に向かうにつれて互いの間隔が徐々に狭くなるよう形成され、発光体からの入射光を散乱させる多数の反射ドットを有するので、花弁の表面が付け根側から先端側にかけて緩やかなグラデーション様に発光する。したがって、一層興趣を高めることができる。
【００１９】
請求項６に記載の発明によれば、発光手段を制御する制御手段は、音感知手段が感知した音の音量に応じて、所定の発光パターンが変化するよう発光手段を制御するので、音量を変化させることにより異なる発光パターンを楽しむことができる。したがって、一層興趣を高めることができる。
【００２０】
請求項７に記載の発明によれば、発光体は互いに発光色の異なる３つの発光ダイオードを含んで構成されるので、３色の組合せにより多彩な色の発光が可能となる。したがって、一層興趣を高めることができる。
【００２１】
請求項８に記載の発明によれば、前記所定の発光パターンは、少なくとも１つの発光手段毎に、発光色，発光順序，及び発光数のうちの少なくとも１つを変化させるものであるので、多彩な発光パターンを楽しむことができ、一層興趣を高めることができる。
【発明を実施するための最良の形態】
【００２２】
以下、本発明の実施の形態について、図を参照して説明する。
【００２３】
本発明に係る感音玩具１は、図１に示すように、花を有する植物を模した植物模型２と、植物模型２を支持する植木鉢形の基台３とから構成されている。
【００２４】
まず、植物模型２について、図１及び図２を参照して説明する。ここで、図１は感音玩具１の正面図であり、図２は植物模型２の分解斜視図である。なお、以下では、特に断らない限り、正面とは感音玩具１の正面を指し、背面とは感音玩具１の背面を指すものとする。
植物模型２は、花部４と、茎部５と、葉部６とを備えている。
【００２５】
花部４は、略円板状の花托部４ａ、及び花托部４ａの側周面に放射状に均等間隔で設けられた正面視楕円状の複数の花弁部４ｂを有する花形に形成され、花部基板４１と、花部ケース４２と、花部伝播部４３と、花托カバー４４と、首ケース４５と、背面ケース４６とから構成されている。なお、本発明におけるセンター部は花托部４ａに相当する。
【００２６】
花部基板４１は、大円板部４１ａと小円板部４１ｂとが同心に組み合わされた段付きの円板状に形成され、小円板部４１ｂ側の表面が正面を向くように大円板部４１ａ側の裏面で茎部５の先端に固定されている。花部基板４１の小円板部４１ｂの外径は、花托部４ａの外径と略同一に形成されている。
【００２７】
また、花部基板４１は、発光面を正面へ向けて小円板部４１ｂ表面の中央に設けられた花托発光体４１１と、発光面を外径方向へ向けて小円板部４１ｂ表面の外周部近傍に周方向へ均等間隔で設けられた、花弁部４ｂと同数の花弁発光体４１２とを実装している。この花部基板４１は、茎部５中の図示しない電線を介して後述の中央制御基板３３に接続され、当該中央制御基板３３からの制御内容に応じて花托発光体４１１及び花弁発光体４１２の発光制御を行う。また、花部基板４１は、この中央制御基板３３を介して基台３内部の電池（図示せず）から給電される。
【００２８】
また、花托発光体４１１及び花弁発光体４１２は、赤緑青の３色をそれぞれ発光する３つの発光ダイオード４１１ａ及び４１２ａ（図３参照）を各々含んで構成されている。なお、図３では、花弁発光体４１２としての３つの発光ダイオード４１２ａが図示垂直方向に併設されているため、当該発光ダイオード４１２ａは１つだけ図示している。
【００２９】
花部ケース４２は、図１及び図２に示すように、全花弁部４ｂを各々一回り大きくして連結させた正面形状に形成された、花部伝播部４３を収納する板状のケースである。この花部ケース４２には、正面側の花弁部４ｂに相当する各部分に、後述の花部伝播部分４３ａが嵌合する花弁凹部４２ａが設けられている。なお、花部ケース４２は、特に限定はされないが、不透明のＡＢＳ樹脂で形成されている。
【００３０】
また、花部ケース４２は、その正面視中央に、花部基板４１の小円板部４１ｂの外径と嵌合する正面視円形の孔部４２ｂが板厚方向に貫通しているとともに、その背面に、後述する背面ケース４６の係合孔４６ａと係合する係合軸４２ｃが、花部基板４１の大円板部４１ａよりも外径側に均等間隔に３つ立設されている。そして、花部ケース４２は、孔部４２ｂを花部基板４１の小円板部４１ｂに嵌合させ、花部基板４１を挟むようにして係合軸４２ｃを背面ケース４６の係合孔４６ａと係合させることにより、花部基板４１に固定される。このとき、花部基板４１の花弁発光体４１２が、花弁部４ｂの付け根の花弁付け根部分４ｃにおいて花弁凹部４２ａの周方向略中央にそれぞれ配置されるようになっている。
【００３１】
花部伝播部４３は、全ての花弁部４ｂを内周側の結合環で結合させた正面形状に形成され、花弁部４ｂに相当する各花弁伝播部分４３ａが花部ケース４２の各花弁凹部４２ａに嵌合されて固定されるようになっている。
【００３２】
この花部伝播部４３は、図３に示すように、上記正面形状に形成された導光板４３１に対し、各花弁伝播部分４３ａの背面側に反射シート４３２を貼付し、同じく正面側に拡散シート４３３を貼付して構成される。ここで、図３は、図１におけるＡ−Ａ部の断面図である。導光板４３１には、反射ドットとしての多数の切欠き４３１ａが、花弁部４ｂの裏面側の面の全面に亘って、花弁部４ｂの付け根側から先端側に向かうにつれて互いの間隔が徐々に狭くなるよう形成されている。また、花部伝播部４３は、花部ケース４２に固定されたときに、各花弁発光体４１２が各花弁付け根部分４ｃにおける導光板４３１の厚さ方向（図示左右方向）略中央に配置されるような厚さに形成される。
このような構成により、花弁発光体４１２から出射した光Ｌは、導光板４３１の内周側の側面から花弁伝播部分４３ａに入射して、表面反射を繰り返して導光板４３１の広い面積に広がる。そのときに、この光Ｌは、導光板４３１の切欠き４３１ａに当たると、そこで散乱され、導光板４３１の正面側つまり花弁部４ｂの表面側から拡散シート４３３を通じて外部に出射する。このとき、花弁部４ｂの付け根側から先端側に向かって切欠き４３１ａの間隔が徐々に狭くなっているので、花弁発光体４１２からの光Ｌは花弁部４ｂの先端側に向かって届きにくくなると同時に切欠き４３１ａによる散乱が強められ、結果として、花弁部４ｂの表面側から出射する光Ｌは花弁部４ｂの付け根側から先端側に向かって緩やかに弱められる。こうして、花部伝播部４３は、拡散シート４３３を貼付した花弁伝播部分４３ａの表面側が、花弁部４ｂの付け根側から先端側にかけて緩やかなグラデーション様に発光する。なお、本発明において花弁に設けられる発光手段は、上記の花弁発光体４１２及び導光板４３１を含んで構成される。
【００３３】
花托カバー４４は、花部基板４１の小円板部４１ｂと略同一外径に形成された正面視円形の透明なアクリル板である。この花托カバー４４は、一方の面が平面状に他方の面が凸球面状に形成され、前記一方の面に拡散シート４４１が貼付されて、当該一方の面側を小円板部４１ｂの表面に対向させるよう花部基板４１に固定される。
【００３４】
また、この花托カバー４４は、花托発光体４１１を発光させることにより、拡散シート４４１を通じて、凸球面状の面つまり花托部４ａの表面側が発光するようになっている。
【００３５】
首ケース４５は、図２に示すように、花部基板４１の大円板部４１ａ及び小円板部４１ｂを下方から支持する基板支持部分４５ａと、茎部５の上端部を覆う円筒状の茎支持部分４５ｂとから構成されている。この首ケース４５は、花部基板４１と茎部５との接続部に固定されて、当該接続部を補強している。
【００３６】
背面ケース４６は、花部基板４１の大円板部４１ａを厚さ方向へ収容可能に開口した略お椀状に形成され、開口部の側周面に花部ケース４２の係合軸４２ｃと係合する３つの係合孔４６ａが設けられている。この背面ケース４６は、背面側から大円板部４１ａを収容して、花部ケース４２の係合軸４２ｃと係合孔４６ａとを係合させることにより、花部基板４１に固定される。
【００３７】
茎部５は、図１及び図２に示すように、鉄芯５１と、第１茎カバー５２と、第２茎カバー５３と、茎ケース５４とから構成され、花部４及び葉部６を所定の高さに支持するとともに、後述するモータ３２に動かされて植物模型２を揺動させるものである。
【００３８】
鉄芯５１は、基台３内から花部基板４１まで上方に延在する長尺な針金であり、基端側が基台３内のモータ３２に固定され、先端側が当該鉄芯５１を被覆する第１茎カバー５２内で固定されないままになっている。この鉄芯５１は、花部４及び葉部６を支持する強度部材であると同時に、被覆される第１茎カバー５２及び第２茎カバー５３の内部で自由に回転できるようになっている。
【００３９】
第１茎カバー５２は、ファイバー等の柔軟な材料で形成され、葉部６下端から花部４中心部までの鉄芯５１部分を被覆している。この第１茎カバー５２は、葉部６側で第２茎カバー５３と固定され、花部４側で花部基板４１と固定されている。
第２茎カバー５３は、第１茎カバー５２同様にファイバー等の柔軟な材料で形成され、葉部６下端より下方の所定長さの鉄芯５１部分を被覆している。
これら第１茎カバー５２及び第２茎カバー５３は、図示はしないが、いずれも２重の被覆構造となっており、鉄芯５１を内周側で被覆するとともに、後述する基台３内の中央制御基板３３（図５参照）と花部基板４１及び葉部基板６２とを電気的に接続する電線（図示せず）を外周側で被覆している。
【００４０】
茎ケース５４は、基台３上面から葉部６下端までの鉄芯５１及び第２茎カバー５３を覆う略円筒状のケースであり、下方側の一端面で基台３上面と当接し上方側の他端面で後述の葉部ケース６１及び固定具６４の下面と当接して葉部６を支持している。この茎ケース５４は、延在方向の中心軸を通る面で第１茎ケース５４ａと第２茎ケース５４ｂとに２分割されており、これら第１茎ケース５４ａと第２茎ケース５４ｂとで鉄芯５１及び第２茎カバー５３を挟むようにして固定される。また、茎ケース５４は、第２茎カバー５３を内部で固定するとともに、下端面で基台３に対し固定されている。
【００４１】
葉部６は、葉を模した２つの葉部分６ａが、それぞれの付け根の葉部付け根部分６ｂで連結された形状に形成されており、葉部ケース６１と、葉部基板６２と、葉部伝播部６３と、固定具６４とから構成されている。
【００４２】
葉部ケース６１は、葉部分６ａの形状をなす２枚の板状部材が、各表面を同一方向へ向けつつ当該方向に直行する平面内で互いが直列より幾分か傾くよう各葉部付け根部分６ｂで連結され形成されている。この葉部ケース６１は、表面を正面側へ向けつつ各葉部分６ａの先端が均等に上方側を向くよう固定具６４により茎部５に固定される。なお、葉部ケース６１は、特に限定はされないが、不透明のＡＢＳ樹脂で形成されている。
【００４３】
また、葉部ケース６１には、外側面全面に一様厚さの壁が形成されるよう、表面の全面に亘って略一様深さの葉部凹部６１ａが形成されている。但し、葉部凹部６１ａにおける２つの葉部分６ａの連結部には、葉部基板６２が嵌合する正面視六角形状の一段深い凹部が形成され、更にその中央部には、当該葉部基板６２に電線（図示せず）を接続するための孔部が葉部ケース６１の背面側まで貫通している。
【００４４】
葉部基板６２は、六角形の板状に形成され、基板表面を正面側へ向けて葉部ケース６１の２つの葉部分６ａの連結部に設けられた凹部に嵌合される。また、葉部基板６２は、発光面を各葉部分６ａの先端へ向けた２つの葉部発光体６２１を基板表面の各葉部付け根部分６ｂに実装している。この葉部発光体６２１は、赤緑青の３色をそれぞれ発光する３つの発光ダイオード６２１ａ（図４参照）を含んで構成されている。なお、図４では、葉部発光体６２１としての３つの発光ダイオード６２１ａが図示垂直方向に併設されているため、当該発光ダイオード６２１ａは１つだけ図示している。
【００４５】
この葉部基板６２は、茎部５中の図示しない電線を介して後述の中央制御基板３３に接続され、当該中央制御基板３３からの制御内容に応じて葉部発光体６２１の発光制御を行う。また、葉部基板６２は、この中央制御基板３３を介して基台３内部の電池（図示せず）から給電される。
【００４６】
葉部伝播部６３は、図２及び図４に示すように、葉部ケース６１の側周面を一回り小さくした正面形状に形成され、葉部ケース６１の葉部凹部６１ａに嵌合されて固定されるようになっている。ここで、図４は、図１におけるＢ−Ｂ部の断面図である。但し、葉部伝播部６３は、２つの葉部分６ａの連結部において、葉部基板６２の六角形状でプレス加工したように、背面側の面には当該形状の凹部が形成され、正面側の面には当該形状を一回り大きくした凸部が形成されて、当該凸部で両葉部分６ａが連結されるように形成されている。
【００４７】
この葉部伝播部６３は、上記正面形状に形成された導光板６３１に対し、各葉部分６ａに対応する各葉部伝播部分６３ａの背面側に反射シート６３２を貼付し、同じく正面側に拡散シート６３３を貼付して構成される。また、葉部伝播部６３は、葉部ケース６１に固定されたときに各葉部発光体６２１が各葉部付け根部分６ｂにおける導光板６３１の厚さ方向（図４の左右方向）略中央に配置されるような厚さに形成される。
このように構成により、葉部発光体６２１から出射した光Ｌが導光板６３１の葉部付け根部分６ｂ側の側面から葉部伝播部分６３ａに入射して、表面反射を繰り返して導光板６３１の広い面積に広がる。そのときに、この光Ｌは、反射シート６３２の反射材（図示せず）に当たると、そこで散乱され、導光板６３１の正面側つまり葉部分６ａの表面側から拡散シート６３３を通じて外部に出射する。こうして、葉部伝播部６３は、拡散シート６３３を貼付した葉部伝播部分６３ａの表面側全体が発光するようになっている。なお、本発明において葉に設けられる発光手段は、上記の葉部発光体６２１及び導光板６３１を含んで構成される。
【００４８】
固定具６４は、図２に示すように、第１茎カバー５２の径よりも若干大きい幅の凹部を有する略コ字状をしており、同一方向を向くコ字の両端面には、葉部ケース６１背面の葉部付け根部分６ｂ近傍に立設された２つの係合軸（図示せず）と係合する２つの係合孔６４ａが設けられている。この固定具６４は、背面側からコ字の凹部で第１茎カバー５２を挟むようにして、葉部ケース６１の係合軸と係合孔６４ａとを係合させることにより、茎部５に対して固定される。そのとき、固定具６４は、下方側の面が茎ケース５４の上面と当接して支持される。
【００４９】
続いて、基台３について、図２及び図５を参照して説明する。ここで、図５は、感音玩具１の制御構成を示すブロック図である。
基台３は、土を含んだ植木鉢状に形成されて植物模型２を上部に支持するとともに、当該植物模型２の動作制御に使用される部品として、音センサ３１と、モータ３２と、中央制御基板３３と、電池（図示せず）とを内部に備えている。
【００５０】
音センサ３１は、外部からの可聴帯域の音を感知するセンサであり、中央制御基板３３と電気的に接続されて、外部音の有無を当該中央制御基板３３へ出力する。また、音センサ３１は、図示しない電池に接続され給電される。
【００５１】
モータ３２は、中央制御基板３３と電気的に接続されるとともに、図示しないモータ軸に茎部５の鉄芯５１基端が連結され、当該モータ軸を回転させることにより鉄芯５１を延在方向に対して回転させる。また、モータ３２は、図示しない電池に接続され給電される。
【００５２】
このモータ３２は、例えばＳ字に可撓させた鉄芯５１を第１茎カバー５２、第２茎カバー５３及び茎ケース５４の内部で回転させることにより、植物模型２を正面向きのまま揺動させることが可能となっている。
【００５３】
中央制御基板３３は、音センサ３１、モータ３２、花部基板４１、及び葉部基板６２と電気的に接続され、音センサ３１から入力される信号に応じてモータ３２、花部基板４１、及び葉部基板６２に対し所定の制御を行う。具体的には、中央制御基板３３は、音センサ３１が感知した音に基づいて、植物模型２を揺動させるようモータ３２を制御するとともに、所定の発光パターンで発光するよう花部基板４１及び葉部基板６２を介して花托発光体４１１、花弁発光体４１２、及び葉部発光体６２１を制御する。この発光パターンは、特に限定はされないが、少なくとも１つの花托発光体４１１、花弁発光体４１２、及び葉部発光体６２１毎に、発光色，発光順序，及び発光数のうちの少なくとも１つを変化させるものである。
【００５４】
また、中央制御基板３３は、複数の発光パターンを記憶する記憶手段（図示せず）を備えており、音センサ３１が感知した音の音量に応じて発光パターンが変化するよう花托発光体４１１、花弁発光体４１２、及び葉部発光体６２１を制御することが可能になっている。なお、中央制御基板３３は、図示しない電池に接続され給電される。
【００５５】
以上のように構成された感音玩具１によれば、中央制御基板３３が花部基板４１を介して花弁付け根部分４ｃの花弁発光体４１２を制御することで、花弁部４ｂに設けた花弁伝播部分４３ａの正面側が所定の発光パターンで発光する。これにより、例えば花弁部４ｂ全体に発光体を設ける必要もなく、導光板４３１を用いることで花弁付け根部分４ｃに設けた花弁発光体４１２だけで花弁部４ｂ全体を発光できるとともに、外部の音に反応して所定の発光パターンで発光できる。したがって、低コストに構成できるとともに、遊戯者は印象深い発光を楽しんで興趣を高めることができる。
【００５６】
また、中央制御基板３３が花部基板４１を介して花托発光体４１１を制御することで、花托カバー４４の正面側が所定の発光パターンで発光する。したがって、花弁部４ｂに加え花托部４ａも表面側が発光するので、より興趣を高めることができる。
【００５７】
また、中央制御基板３３が葉部基板６２を介して葉部付け根部分６ｂの葉部発光体６２１を制御することで、葉部分６ａに設けた葉部伝播部分６３ａの正面側が所定の発光パターンで発光する。これにより、例えば葉部分６ａ全体に発光体を設ける必要もなく、導光板６３１を用いることで葉部付け根部分６ｂに設けた葉部発光体６２１だけで葉部分６ａ全体を発光できるとともに、外部の音に反応して所定の発光パターンで発光できる。したがって、葉部分６ａも花弁部４ｂと同様に低コストな構成で発光でき、一層興趣を高めることができる。
【００５８】
また、中央制御基板３３は、音センサ３１が感知した音に基づいて、植物模型２を揺動させるようモータ３２を制御するので、感音玩具１は外部の音に反応して上記の発光動作に加え揺動動作をも行う。したがって、一層興趣を高めることができる。
【００５９】
また、花部伝播部４３の導光板４３１には、反射ドットとしての多数の切欠き４３１ａが、花弁部４ｂの裏面側の面の全面に亘って、花弁部４ｂの付け根側から先端側に向かうにつれて互いの間隔が徐々に狭くなるよう形成されているので、花弁部４ｂの表面が付け根側から先端側にかけて緩やかなグラデーション様に発光する。したがって、一層興趣を高めることができる。
【００６０】
また、中央制御基板３３は、音センサ３１が感知した音の音量に応じて発光パターンが変化するよう花托発光体４１１、花弁発光体４１２、及び葉部発光体６２１を制御するので、音量を変化させることにより異なる発光パターンを楽しむことができる。したがって、一層興趣を高めることができる。
【００６１】
また、花托発光体４１１、花弁発光体４１２、及び葉部発光体６２１は、互いに発光色の異なる３つの発光ダイオード４１１ａ、４１２ａ、及び６２１ａをそれぞれ含んで構成されるので、いずれの発光体も３色の組合せにより多彩な色の発光が可能となる。したがって、一層興趣を高めることができる。
【００６２】
また、中央制御基板３３が制御する発光パターンは、少なくとも１つの花托発光体４１１、花弁発光体４１２、及び葉部発光体６２１毎に、発光色，発光順序，及び発光数のうちの少なくとも１つを変化させるものであるので、多彩な発光パターンを楽しむことができ、一層興趣を高めることができる。
【００６３】
なお、上記実施の形態においては、音センサ３１は外部の音を感知するものとしたが、感音玩具１自体が音を発生してもよい。この場合、例えば、基台３内部に配置されるスピーカーと、携帯型の音楽プレーヤーに接続可能な端子とを設ければよい。そして、当該音楽プレーヤーで音楽を再生してスピーカーから流すことで、感音玩具１自らが発生する音に応じて当該感音玩具１を発光及び揺動させることができる。
【００６４】
なお、導光板４３１に形成される切欠き４３１ａは、花弁発光体４１２からの入射光を散乱できる反射ドットであればよく、切欠き状のものに限定されない。また、同様の切欠きを葉部伝播部６３の導光板６３１に形成して、葉部伝播部６３をグラデーション様に発光させてもよい。
【００６５】
また、中央制御基板３３がモータ３２、花部基板４１、及び葉部基板６２を全て制御しなくともよく、モータ３２を制御する基板と、花部基板４１及び葉部基板６２を制御する基板とで別々の制御基板を設けてもよい。
【００６６】
また、音センサ３１、モータ３２、中央制御基板３３、花部基板４１、及び葉部基板６２への給電は、基台３内部の電池からに限定されず、例えば外部のコンセントからとしてもよい。
【００６７】
また、上記以外の点についても、本発明は上記実施の形態に限定されるものではなく、適宜変更可能であるのは勿論である。
【図面の簡単な説明】
【００６８】
【図１】感音玩具の正面図である。
【図２】植物模型の分解斜視図である。
【図３】図１におけるＡ−Ａ部の断面図である。
【図４】図１におけるＢ−Ｂ部の断面図である。
【図５】感音玩具の制御構成を示すブロック図である。
【符号の説明】
【００６９】
１      感音玩具
２      植物模型
４      花部
４ａ    花托部（センター部）
４ｂ    花弁部
４ｃ    花弁付け根部分
６ａ    葉部分
６ｂ    葉部付け根部分
３１    音センサ（音感知手段）
３２    モータ（動作手段）
３３    中央制御基板（制御手段）
４１１  花托発光体
４１１ａ、４１２ａ、６２１ａ  発光ダイオード
４１２  花弁発光体
４３１、６３１  導光板
４３１ａ  切欠き
６２１  葉部発光体
Ｌ      光
【図１】
2009268766.tif 000003
【図２】
2009268766.tif 000004
【図３】
2009268766.tif 000005
【図４】
2009268766.tif 000006
【図５】
2009268766.tif 000007